(57)【要約】【課題】画面を見ながらの歩行による事故を防止する。【解決手段】特定の照明装置を周囲の照明装置から識別するための信号を重畳した光を前記照明装置から受信する受信手段と、受信した信号の変化に基づいて歩行を検出する検出手段と、歩行を検出した際に外部の表示装置に表示を閲覧不能にさせる制御手段とを備える。【選択図】      図１
2016114975.tif 000002
【特許請求の範囲】
【請求項１】
特定の照明装置を周囲の照明装置から識別するための信号を重畳した光を前記照明装置から受信する受信手段と、
受信した信号の変化に基づいて歩行を検出する検出手段と、
歩行を検出した際に外部の表示装置に表示を閲覧不能にさせる制御手段と
を備えることを特徴とする表示制御装置。
【請求項２】
前記検出手段は、第１の時点において受信された第１の前記信号と、前記第１の時点に続く第２の時点において受信された第２の前記信号との間で、同一の前記信号が存在しない場合に、利用者が歩行したものと判定する
ことを特徴とする請求項１に記載の表示制御装置。
【請求項３】
前記第１の時点と前記第２の時点との差が、前記照明装置間の平均距離が前記利用者の平均歩行速度で除算された時間以上である
ことを特徴とする請求項２に記載の表示制御装置。
【請求項４】
照明装置、表示装置、及び
特定の前記照明装置を周囲の前記照明装置から識別するための信号を重畳した光を前記照明装置から受信する受信手段と、
受信した信号の変化に基づいて歩行を検出する検出手段と、
歩行を検出した際に前記表示装置に表示を閲覧不能にさせる制御手段と
を有する表示制御装置
を備えることを特徴とする表示制御システム。
【請求項５】
特定の照明装置を周囲の照明装置から識別するための信号を重畳した光を前記照明装置から受信し、
受信した信号の変化に基づいて歩行を検出し、
歩行を検出した際に外部の表示装置に表示を閲覧不能にさせる
ことを特徴とする表示制御方法。
【請求項６】
特定の照明装置を周囲の照明装置から識別するための信号を重畳した光を前記照明装置から受信する受信処理と、
受信した信号の変化に基づいて歩行を検出する検出処理と、
歩行を検出した際に前記表示装置に表示を閲覧不能にさせる制御処理と
をコンピュータに実行させることを特徴とする表示制御プログラム。
【発明の詳細な説明】
【技術分野】
【０００１】
本発明は、歩行中の端末利用による事故を防止する表示制御装置、表示制御システム、表示制御方法、及び表示制御プログラムに関する。
【背景技術】
【０００２】
近年、スマートフォンに代表される多機能な形態端末の普及と通信インフラの拡充が進展してきた。これにより、地下や屋内にあっても無線ＬＡＮ（Local Area Network）通信等を利用して携帯端末からウェブサービス等を利用する利用者が増加している。
【０００３】
これに伴い、携帯端末利用中の不注意による事故（転倒、接触等）が増加している。これらの事故は、利用者が歩行しながら携帯端末を利用している状況において多く発生する傾向にある。事故を防止するために、通信キャリアは、歩行中のスマートフォン利用を防止するアプリケーションソフトウェアを配布すること等により、歩行中の携帯端末利用の防止に努めている。しかしながら、こうした方法では、利用者自らが自分の意志でアプリケーションソフトウェアをインストールする必要があるので強制力・普及率共に低く、効果が高くないのが現状である。
【０００４】
そこで、利用状況に応じて、携帯端末の利用方法を変更することにより、携帯端末の利用を制限するサービスの提供が求められている。
【０００５】
利用状況に応じて携帯端末の利用方法を変更する技術の一例が、特許文献１に開示されている。
【０００６】
特許文献１の腕時計型デバイスは、検出部と、表示部と、入力部と、処理部と、記憶部とを含む。
【０００７】
記憶部は、表示部に関する設定（画面表示方法等）や入力部に関する設定（各ボタンに対する機能割当等）を保持する。検出部は、加速度センサ等を用いて、デバイスの装着状態に関するデータを検出する。処理部は、デバイスの装着状態に応じて、表示部又は入力部に関する設定を適用する。
【０００８】
上記の動作の結果、特許文献１の腕時計型デバイスは、デバイスの装着状態に応じて自動的に、画面表示又は入力の設定を適切な設定に変更する。
【０００９】
利用状況に応じて携帯端末の利用を制限する技術の一例が、特許文献２に開示されている。
【００１０】
特許文献２の制御システムは、照明装置と、携帯電話とを含む。
【００１１】
照明装置は、エリア毎に設けられ、規制情報が重畳された照明光を特定のエリア内に送信する。
【００１２】
携帯電話は、照明装置から規制情報が重畳された照明光を受信し、規制情報を検出した際に通話又は通信を制限する。
【００１３】
上記の動作の結果、特許文献２の制御システムでは、利用者は、規制情報が送信された特定のエリアにおいて、通話又は通信を制限される。
【００１４】
利用状況に応じて携帯端末の利用を制限する技術の別の一例が、特許文献３に開示されている。
【００１５】
特許文献３の無線通信端末は、送受信部と、制御部と、周辺装置部とを含む。
【００１６】
送受信部は、基地局の識別子を重畳した電波を基地局から受信する。制御部は、受信した識別子の変化に基づいて移動を検出する。周辺装置部は、移動中且つ通信中である場合に、無線通信端末の通信の利用中止を促すメッセージを出力する。
【００１７】
上記の動作の結果、特許文献３の無線通信端末では、利用者は、移動中の通信の利用中止を促される。
【先行技術文献】
【特許文献】
【００１８】
【特許文献１】特開２０１４−１９０９６５
【特許文献２】特開２０１２−９９９９０
【特許文献３】特開２００６−１１５０４７
【発明の概要】
【発明が解決しようとする課題】
【００１９】
特許文献１の技術では、端末の装着状態に応じて画面表示又は入力設定が適切な設定に変更されるが、利用者は歩行中にも端末を利用することができる。従って、特許文献１の技術には、画面を見ながらの歩行による事故を防止することができないという問題がある。
【００２０】
特許文献２の技術では、特定のエリア内では歩行中であっても端末の利用は制限されない。また、特許文献２の技術では、通話又は通信の機能は制限されるが、それ以外の画面の閲覧等の機能は制限されない。従って、特許文献２の技術には、画面を見ながらの歩行による事故を防止することができないという問題がある。
【００２１】
特許文献３の技術では、移動中に、通信以外の機能は制限されない。また、特許文献３の技術では、基地局が変化する移動レベルで移動検出が行われるので、歩行時の移動を検出することは困難である。更に、特許文献３の技術では、基地局からの電波が受信できない場所では携帯電話の利用を制限することができない。従って、特許文献３の技術には、画面を見ながらの歩行による事故を防止することができないという問題がある。
（発明の目的）
本発明の主たる目的は、画面を見ながらの歩行による事故を防止する表示制御装置、表示制御システム、表示制御方法、及び表示制御プログラムを提供ことにある。
【課題を解決するための手段】
【００２２】
本発明の表示制御装置は、特定の照明装置を周囲の照明装置から識別するための信号を重畳した光を照明装置から受信する受信手段と、受信した信号の変化に基づいて歩行を検出する検出手段と、歩行を検出した際に外部の表示装置に表示を閲覧不能にさせる制御手段とを備えることを特徴とする。
【００２３】
本発明の表示制御システムは、照明装置、表示装置、及び特定の照明装置を周囲の照明装置から識別するための信号を重畳した光を照明装置から受信する受信手段と、受信した信号の変化に基づいて歩行を検出する検出手段と、歩行を検出した際に外部の表示装置に表示を閲覧不能にさせる制御手段とを有する表示制御装置を備えることを特徴とする。
【００２４】
本発明の表示制御方法は、特定の照明装置を周囲の照明装置から識別するための信号を重畳した光を照明装置から受信し、受信した信号の変化に基づいて歩行を検出し、歩行を検出した際に外部の表示装置に表示を閲覧不能にさせることを特徴とする。
【００２５】
本発明の表示制御プログラムは、特定の照明装置を周囲の照明装置から識別するための信号を重畳した光を照明装置から受信する受信処理と、受信した信号の変化に基づいて歩行を検出する検出処理と、歩行を検出した際に外部の表示装置に表示を閲覧不能にさせる制御処理とをコンピュータに実行させることを特徴とする。
【発明の効果】
【００２６】
本発明によれば、画面を見ながらの歩行による事故を防止することができるという効果がある。
【図面の簡単な説明】
【００２７】
【図１】本発明の第１の実施形態における表示制御装置１００の構成の一例を示すブロック図である。
【図２】本発明の第１の実施形態における表示制御装置１００の動作を示すフローチャートである。
【図３】本発明の第１の実施形態における表示制御装置１００の動作の具体例を説明するための図である。
【図４】本発明の第２の実施形態における携帯端末１１０の構成の一例を示すブロック図である。
【図５】本発明の第２の実施形態における携帯端末１１０の動作を示すフローチャートである。
【図６】本発明の第２の実施形態における携帯端末１１０の動作の具体例を説明するための図である。
【発明を実施するための形態】
【００２８】
以下、本発明の実施形態について、図面を参照して詳細に説明する。なお、すべての図面において、同等の構成要素には同じ符号を付し、適宜説明を省略する。
（第１の実施形態）
本実施形態における構成について説明する。
【００２９】
図１は、本発明の第１の実施形態における表示制御装置１００の構成の一例を示すブロック図である。
【００３０】
表示制御装置１００は、照明装置２００と、表示装置３００とに接続される。表示制御装置１００は、携帯端末、携帯電話、スマートフォン、タブレット端末、ウェアラブルコンピュータ、テレビ受像機、メディアプレーヤー、携帯ゲーム機等に内蔵又は外付けされる装置である。表示制御装置１００は、受信手段１０２と、検出手段１０１と、制御手段１０３とを含む。
【００３１】
受信手段１０２は、照明装置２００から、照明装置２００を隣接する別の照明装置から識別するための信号（以下、「装置識別信号」という。）４００を受信する。
【００３２】
装置識別信号４００は、照明光に重畳された、照明装置２００の識別情報を示すデジタルデータである。なお、装置識別信号４００は、照明装置２００を近傍の別の照明装置から識別するための任意の信号であってよい。例えば、装置識別信号４００は、照明装置毎に中心波長が異なる狭帯域のスペクトルを持つ光である。また、装置識別信号４００は、照明装置２００を別の照明装置から一意に識別するための信号である必要はなく、照明装置２００を近傍の別の照明装置から識別するための信号であればよい。例えば、装置識別信号４００は、複数種類の中心波長を有する狭帯域のスペクトルを持つ光であり、特定の領域内で特定の照明装置を識別できるように配置されてもよい。さらに、装置識別信号４００は、可視光以外の波長の光であってもよい。
【００３３】
検出手段１０１は、受信した装置識別信号に基づいて、利用者が歩行中であるか否かを検出する。
【００３４】
制御手段１０３は、表示装置３００の表示を閲覧不能にさせる制御を行う。制御手段１０３は、表示装置３００の電源をオフにさせることにより、表示装置３００の表示を閲覧不能にさせる。なお、制御手段１０３は、表示装置３００に利用者に対して元の表示を閲覧不能にする任意の方法により、表示装置３００の表示を閲覧不能にさせてよい。例えば、制御手段１０３は、表示装置３００に元の表示を閲覧不能にする、スクリーンセーバーや閲覧不能であることを示すメッセージ等を表示させることにより、表示装置３００の表示を閲覧不能にさせてもよい。
【００３５】
照明装置２００は、装置識別信号４００を照明光に重畳して周囲に出力する機能を備えた照明器具である。照明装置２００は、各領域が概ね１台の照明装置で照明されるように、複数台設置される。照明装置２００は、表示制御装置１００又は表示装置３００との間で装置識別信号４００以外のデジタルデータの通信を行う機能を有してもよい。
【００３６】
表示装置３００は、液晶ディスプレイ等の画面に文字や画像等の情報を表示する装置で、利用者により携帯される。なお、表示装置３００は、表示制御装置１００を内蔵してもよい。また、表示装置３００は、携帯端末、携帯電話、スマートフォン、タブレット端末、ウェアラブルコンピュータ、テレビ受像機、メディアプレーヤー、携帯ゲーム機等に内蔵されてもよい。
【００３７】
次に、本実施形態における動作について説明する。
【００３８】
図２は、本発明の第１の実施形態における表示制御装置１００の動作を示すフローチャートである。図２は、具体的には、表示制御装置１００が、照明装置２００から１つの装置識別信号４００を受信した際に、表示装置３００の表示の閲覧不能状態を制御する際の動作を示す。なお、図２に示すフローチャート及び以下の説明は一例であり、適宜求める処理に応じて、処理順等を入れ替えたり、処理を戻したり、又は処理を繰り返したりしてもよい。
【００３９】
表示装置３００の表示を閲覧不能にする制御の初期状態は、１回目の処理では閲覧不能が解除された状態であり、２回目以降の処理では前回設定された状態が保持される。
【００４０】
受信手段１０２は、照明装置２００から装置識別信号４００を受信する（ステップＳ１０１）。
【００４１】
検出手段１０１は、装置識別信号４００の前回信号からの変化の有無を判定する（ステップＳ１０２）。なお、「前回信号」の初期値は、１回目の処理では「空」、２回目以降の処理では前回「前回信号」として記憶された装置識別信号が保持される。
【００４２】
装置識別信号４００の前回信号からの変化が無ければ（ステップＳ１０３：Ｎｏ）、制御手段１０３は、表示装置３００に表示の閲覧不能状態を解除させる（ステップＳ１０４）。一方、装置識別信号４００の前回信号からの変化が有れば（ステップＳ１０３：Ｙｅｓ）、制御手段１０３は、表示装置３００に表示を閲覧不能状態に設定させる（ステップＳ１０５）。
【００４３】
検出手段１０１は、装置識別信号４００を前回信号として記憶する（ステップＳ１０６）。
【００４４】
次に、本発明の第１の実施形態の処理の具体例について説明する。
【００４５】
図３は、本発明の第１の実施形態における表示制御装置１００の動作の具体例を説明するための図である。
【００４６】
まず、利用者が、照明装置２０１の下において、立ち止まって表示装置３００を利用する場合の表示制御装置１００の動作について説明する。
【００４７】
表示制御装置１００は、照明装置２０１から送信される装置識別信号４０１を受信し続ける。つまり、表示制御装置１００により受信された装置識別信号と、表示制御装置１００により保持される前回信号は、共に、装置識別信号４０１である（ステップＳ１０３：Ｎｏ）。表示装置３００の閲覧不能状態は解除されるので（ステップＳ１０４）、利用者は表示装置３００を利用できる。
【００４８】
次に、利用者が、照明装置２０１から照明装置２０２へ歩行しながら表示装置３００を利用する場合の表示制御装置１００の動作について説明する。
【００４９】
表示制御装置１００は、照明装置２０１から送信される装置識別信号４０１のみを受信し、その後、照明装置２０２から送信される装置識別信号４０２のみを受信する。つまり、表示制御装置１００により受信された装置識別信号と、表示制御装置１００により保持される前回信号は、それぞれ、装置識別信号４０２、装置識別信号４０１である（ステップＳ１０３：Ｙｅｓ）。表示装置３００は閲覧不能状態になるので（ステップＳ１０５）、利用者は歩行しながら表示装置３００を利用できない。
【００５０】
以上説明したように、本実施形態の表示制御装置１００は、利用者の歩行を検出すると、表示装置３００を閲覧不能にさせる。従って、表示制御装置１００では、画面を見ながらの歩行による事故を防止することができるという効果がある。
【００５１】
また、本実施形態の表示制御装置１００は、歩行の検出のために無線基地局等との通信を必要としない。従って、表示制御装置１００では、地下街や屋内等の無線基地局からの電波が届かない場所であっても、画面を見ながらの歩行による事故を防止することができるという効果がある。
【００５２】
また、本実施形態の表示制御装置１００は、歩行の検出のために照明装置からの光を利用する。従って、表示制御装置１００では、照明装置を設置可能な場所であれば、画面を見ながらの歩行による事故を防止することができるという効果がある。
【００５３】
また、本実施形態の表示制御装置１００は、歩行中に画面表示を閲覧不能にする。一般に、画面表示が閲覧不能であれば、利用者は画面を見ながら歩行をすることができない。従って、表示制御装置１００では、端末の通信機能や入力機能等の画面表示以外の機能を制限することなく、画面を見ながらの歩行による事故を防止することができるという効果がある。
【００５４】
また、表示制御装置１００では、表示制御装置１００が携帯電話に含まれる場合に、通信キャリアや利用者以外の第三者が照明装置を設置することにより、画面を見ながらの歩行による事故を防止することができるという効果がある。
（第２の実施形態）
次に、上述した第１の実施形態における表示制御装置の機能を含む、本発明の第２の実施形態における携帯端末について説明する。以下の説明において、第１の実施形態と同等の構成要素には同じ符号を付し、適宜説明を省略する。なお、本実施形態では、第１の実施形態に比べて、歩行検出の安定性が向上するという効果がある。
【００５５】
本実施形態における構成について説明する。
【００５６】
図４は、本発明の第２の実施形態における携帯端末１１０の構成の一例を示すブロック図である。
【００５７】
携帯端末１１０は、照明固有の番号（以下、「照明固有番号」という。）を有する可視光通信可能な屋内照明（以下、単に「照明装置」という。）２１０に接続される。携帯端末１１０は、第１の実施形態における表示装置３００と同等の機能を、表示手段１１４として含む。携帯端末１１０は、第１の実施形態における表示制御装置１００の各手段に対応する、受信手段１１２と、検出手段１１１と、制御手段１１３とを含む。
【００５８】
照明装置２１０は、点灯中常に照明固有番号４１０をデータに含めて送信する。
【００５９】
携帯端末１１０の受信手段１１２は、照明固有番号４１０を受信する。なお、受信手段１１２は、携帯端末１１０の位置によっては、複数の照明装置から複数の照明固有番号を受信することもある。
【００６０】
検出手段１１１は、受信した照明固有番号に基づいて、利用者が歩行中であるか否かを検出する。
【００６１】
制御手段１１３は、表示手段１１４の表示をオフにさせる制御を行う。
【００６２】
次に、本発明の第２の実施形態における動作について説明する。
【００６３】
図５は、本発明の第２の実施形態における携帯端末１１０の動作を示すフローチャートである。図５は、具体的には、携帯端末１１０の表示をオフにする際の動作を示す。なお、図５に示すフローチャート及び以下の説明は一例であり、適宜求める処理に応じて、処理順等を入れ替えたり、処理を戻したり、又は処理を繰り返したりしてもよい。
【００６４】
携帯端末１１０は、携帯端末のディスプレイがオンとなったとき、以下の動作を開始する。
【００６５】
携帯端末１１０は、照明固有番号を受信し（ステップＳ２０１）、前回値として保持する（ステップＳ２０２：Ｙｅｓ、ステップＳ２０３）。携帯端末１１０は、照明固有番号を受信しなかった場合には（ステップＳ２０２：Ｎｏ）、受信するまでステップＳ２０１の処理を繰り返す。なお、受信した照明固有番号及び前回値のそれぞれは、複数の照明装置から照明固有番号を受信した場合には、複数の照明固有番号を含む。
【００６６】
携帯端末１１０は、一定時間経過後に（ステップＳ２０４）、再び照明固有番号を受信する（ステップＳ２０５、ステップＳ２０６：Ｙｅｓ）。携帯端末１１０は、照明固有番号を受信しなかった場合には（ステップＳ２０６：Ｎｏ）、ステップＳ２０１の処理に戻る。なお、ステップＳ２０４における「一定時間」は、照明固有番号を受信する適切な時間間隔を決定するために設定される。照明固有番号を受信する時間間隔は、利用者がその時間間隔の間に歩行した場合に、照明装置が１回以上切り替わる時間間隔である。照明固有番号を受信する時間間隔は、例えば、照明装置間の平均距離を平均歩行速度で除算した時間間隔である。ここで、平均歩行速度には、一般的な速度を予め算出した値を用いればよい。
【００６７】
携帯端末１１０は、受信した照明固有番号と前回値との間で、各照明固有番号を比較する（ステップＳ２０７）。
【００６８】
比較した結果、同一の照明固有番号が一つ以上ある場合には（ステップＳ２０８：Ｙｅｓ）、携帯端末１１０は、前回値を破棄した後に（ステップＳ２１０）、最新の照明固有番号を前回値として保持し（ステップＳ２１１）、ステップＳ２０４の処理に戻る。同一の照明固有番号が一つもない場合には（ステップＳ２０８：Ｎｏ）、携帯端末１１０は、携帯端末１１０の表示手段（ディスプレイ）１１４をオフにする（ステップＳ２０９）。
【００６９】
次に、本発明の第２の実施形態の処理の具体例について説明する。
【００７０】
図６は、本発明の第２の実施形態における携帯端末１１０の動作の具体例を説明するための図である。
【００７１】
まず、利用者が、照明装置２１１の下において、立ち止まって携帯端末１１０を利用する場合の携帯端末１１０の動作について説明する。
【００７２】
携帯端末１１０は、照明装置２１１から送信される照明固有番号４１１を含むデータを受信し続ける。つまり、携帯端末１１０により受信された照明固有番号と、携帯端末１１０により保持される前回値は、それぞれ、照明固有番号４１１を含む（ステップＳ２０８：Ｙｅｓ）。表示手段１１４はオンであるので、利用者は携帯端末１１０を利用できる。この時、照明装置２１１から照明光を受ける範囲内であれば、利用者がその場で向きを変えたり、数歩程度移動したりした場合でも、携帯端末１１０は照明固有番号４１１を含むデータを受信し続ける。そのため、利用者は携帯端末１１０を利用できる。
【００７３】
次に、利用者が、照明装置２１１と別の照明装置２１２との境界において、立ち止まって携帯端末１１０を利用する場合の携帯端末１１０の動作について説明する。
【００７４】
携帯端末１１０は、照明装置２１１から送信される照明固有番号４１１を含むデータ又は照明装置２１２から送信される照明固有番号４１２を含むデータの少なくともいずれか一方を受信し続ける。つまり、携帯端末１１０により受信された照明固有番号と、携帯端末１１０により保持される前回値は、それぞれ、照明固有番号４１１又は照明固有番号４１２の少なくとも同じ一方を含む（ステップＳ２０８：Ｙｅｓ）。表示手段１１４はオンであるので、利用者は携帯端末１１０を利用できる。この時、照明装置２１１又は照明装置２１２から照明光を受ける範囲内であれば、利用者がその場で向きを変えたり、数歩程度移動したりした場合でも、携帯端末１１は照明固有番号４１１を含むデータ又は照明固有番号４１２を含むデータを受信し続ける。そのため、利用者は携帯端末１１０を利用できる。
【００７５】
続いて、利用者が、照明装置２１１から照明装置２１２へ歩行しながら携帯端末１１０を利用する場合の携帯端末１１０の動作について説明する。
【００７６】
携帯端末１１０は、照明装置２１１から送信される照明固有番号４１１のデータのみを受信した後に、照明装置２１２から送信される照明固有番号４１２のデータのみを受信する。つまり、携帯端末１１０により受信された照明固有番号と、携帯端末１１０により保持される前回値は、それぞれ、照明固有番号４１２、照明固有番号４１１を含む（ステップＳ２０８：Ｎｏ）。表示手段１１４はオフになるので（ステップＳ２０９）、利用者は歩行しながら携帯端末１１０を利用できなくなる。
【００７７】
以上説明したように、本実施形態の携帯端末１１０は、利用者の歩行を検出すると、表示手段１１４をオフにする。従って、本実施形態の携帯端末１１０では、画面を見ながらの歩行による事故を防止することができるという効果がある。
【００７８】
また、本実施形態の表示制御装置１１０は、歩行中の携帯端末の画面閲覧のみを制限する。従って、表示制御装置１１０では、利用者が通話や音楽プレーヤーの再生等の画面を見ないで実行できる機能を利用することができるという効果がある。
【００７９】
また、本実施形態の表示制御装置１１０は、２つの時点で受信した照明固有番号に共通する照明固有番号が無い場合に、表示手段１１４をオフにする。従って、表示制御装置１１０では、立ち止まっての操作や、向きを変えるだけ、数歩移動する等の微小な移動の影響を軽減して、安定した歩行の検出をすることができるという効果がある。
【００８０】
また、本実施形態の表示制御装置１１０では、照明装置と通常の照明装置とを使い分けることにより、携帯端末の画面閲覧を制限するエリアと制限しないエリアとを設定できることができるという効果がある。
【００８１】
なお、本実施形態の表示制御装置１１０のその他の効果には、第１の実施形態の表示制御装置１００と同様な効果が含まれる。
【００８２】
なお、上述した各実施形態における表示制御装置は、専用の装置によって実現してもよいが、コンピュータ（情報処理装置）によっても実現可能である。この場合、係るコンピュータは、メモリ（不図示）に格納されたソフトウェア・プログラムをＣＰＵ（Ｃｅｎｔｒａｌ＿Ｐｒｏｃｅｓｓｉｎｇ＿Ｕｎｉｔ、不図示）に読み出し、読み出したソフトウェア・プログラムをＣＰＵにおいて実行することにより、実行結果を、例えば、ユーザ・インタフェースに出力する。上述した各実施形態及び変形例の場合、係るソフトウェア・プログラムには、上述したところの、図１に示した表示制御装置１００の各手段、図４に示した携帯端末１１０の各手段の機能を実現可能な記述がなされていればよい。但し、表示制御装置１００の受信手段１０２及び制御手段１０３、並びに携帯端末１１０の受信手段１１２、制御手段１１３、及び表示手段１１４は、適宜ハードウェアを含むことも想定される。そして、このような場合、係るソフトウェア・プログラム（コンピュータ・プログラム）は、本発明を構成すると捉えることができる。更に、係るソフトウェア・プログラムを格納した、コンピュータ読み取り可能な記憶媒体も、本発明を構成すると捉えることができる。
【００８３】
以上、本発明を、上述した各実施形態およびその変形例によって例示的に説明した。しかしながら、本発明の技術的範囲は、上述した各実施形態およびその変形例に記載した範囲には限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【産業上の利用可能性】
【００８４】
本発明は、携帯端末、携帯電話、スマートフォン、タブレット端末、ウェアラブルコンピュータ、テレビ受像機、メディアプレーヤー、携帯ゲーム機等において、歩行中の端末利用による事故を防止する用途において利用できる。
【符号の説明】
【００８５】
１００  表示制御装置
１０１  検出手段
１０２  受信手段
１０３  制御手段
２００、２０１、２０２  照明装置
３００  表示装置
４００、４０１、４０２  装置識別信号
１１０  携帯端末
１１１  検出手段
１１２  受信手段
１１３  制御手段
１１４  表示手段
２１０、２０１、２１２  照明装置
４１０、４１１、４１２  照明固有番号
【図１】
2016114975.tif 000003
【図２】
2016114975.tif 000004
【図３】
2016114975.tif 000005
【図４】
2016114975.tif 000006
【図５】
2016114975.tif 000007
【図６】
2016114975.tif 000008